(57)【要約】【課題】複数の周波数での送受信が可能な無線通信端末において、待受け時における消費電力を低減する。【解決手段】無線通信端末は高周波部と信号処理部と制御部と電源部とＳＷ部と信号レベル検出部とから構成され、待受け時においては信号レベル検出部にのみ電源を供給し、信号レベル検出部において閾値以上の信号レベルが検出されると、ＳＷ部により信号処理部と制御部と検出した周波数帯に対応した高周波部に電源を供給することにより、検出した周波数帯信号の送受信が可能となる。これにより、無線通信端末は待受け時に高周波部への電源供給を行なうことなく、信号レベル検出部への電源供給のみで待受け動作ができ、信号レベルを検出したときのみ、検出した信号の周波数帯に対応した各機能部への電源供給を行なうので、低消費電力化が実現できる。【選択図】図１
2006005518.tif 000002
【特許請求の範囲】
【請求項１】
単一、または複数の周波数帯での信号の送受信が可能な無線通信端末において、
前記無線通信端末は、
前記周波数帯の信号を送受信するアンテナ部と、
前記アンテナ部で受信される無線信号のレベルを検出する信号レベル検出部と、
無線通信端末全体の制御を行なう制御部と、
送信時には前記制御部からの送信信号をベースバンド信号に変換した後、高周波部に伝送する機能と、受信時には高周波部からの受信信号をデジタル信号に変換した後、制御部に伝送する機能を有する信号処理部と、
送信時には前記信号処理部からのベースバンド信号を高周波信号に変換した後、前記アンテナ部から送信する機能と、受信時には前記アンテナ部から受信した高周波信号をベースバンド信号に変換した後、前記信号処理部に伝達する機能を有する高周波部と、
無線通信端末に電源を供給する電源部と、
前記高周波部と前記信号処理部と前記制御部に前記電源部からの電源の供給と停止を行なうＳＷ部とから構成され、
前記ＳＷ部は、信号の受信も送信も行っていない待受け時においては、
前記高周波部と前記信号処理部と前記制御部に前記電源部からの電源を供給すること停止し、
前記信号レベル検出部において所定の周波数帯の受信信号レベルが閾値以上検出されると、
前記信号処理部と前記制御部と前記高周波部に前記電源部からの電源を供給することを特徴とした無線通信端末。
【請求項２】
前記無線通信端末は、
互いに異なる周波数帯に対応する少なくとも２つ以上の高周波部を備え、
前記信号レベル検出部において検出された受信信号の周波数帯が、
前記高周波部の対応する周波数帯のいずれかと一致した場合には、
前記ＳＷ部は、前記周波数帯の前記高周波部と前記信号処理部と前記制御部に前記電源部からの電源を供給することを特徴とした請求項１記載の無線通信端末。
【請求項３】
前記信号レベル検出部は、
前記アンテナ部が受信した無線信号の周波数帯に応じて電圧に変換するＦ−Ｖコンバータを備えることを特徴とした請求項１または請求項２に記載の無線通信端末。
【請求項４】
前記信号レベル検出部は、
受信信号の閾値が、前記受信信号の周波数帯により異なるように構成される
ことを特徴とした請求項１から請求項３のいずれか一項に記載の無線通信端末。
【請求項５】
前記信号レベル検出部は、
受信信号の受信時間を基準時間と比較する機能を有し、
前記信号レベル検出部で検出された受信信号の受信時間が基準時間より大きい場合に、受信信号のレベル検出を行うことを特徴とした請求項１から請求項４のいずれか一項に記載の無線通信端末。
【請求項６】
前記高周波部と前記信号処理部は送受信する信号の周波数帯に応じて変更可能な構成であり、
送受信する信号の周波数帯に応じて前記高周波部と前記信号処理部を変更するための情報を保存しておくメモリ部と、
送受信する信号の周波数帯に応じて前記メモリ部の情報を参照して、前記高周波部と前記信号処理部の変更を行なうソフトウェア無線処理部を備え、
前記信号レベル検出部において閾値以上の特定の周波数帯の受信信号レベルが検出されると、
前記ＳＷ部は、前記信号処理部と前記制御部と前記高周波部と前記ソフトウェア無線処理部に前記電源部からの電源を供給し、
前記信号レベル検出部により検出した周波数帯に応じて、前記ソフトウェア無線処理部が前記高周波部と前記信号処理部の変更を行なう
ことを特徴とした請求項１から請求項５のいずれか一項に記載の無線通信端末。
【請求項７】
前記信号レベル検出部において、複数の周波数帯の受信信号を検出した場合には、
予め設定された優先順位に従って、
前記ＳＷ部は、前記周波数帯の前記高周波部と前記信号処理部と前記制御部に前記電源部からの電源を供給することを特徴とした請求項１から請求項６のいずれか一項に記載の無線通信端末。
【発明の詳細な説明】
【技術分野】
【０００１】
本発明は、複数周波数帯での信号の送受信が可能なマルチモード無線通信端末に関するものである。
【背景技術】
【０００２】
従来、複数周波数帯での信号の送受信を行う無線通信端末において、１つ以上の周波数帯での信号の送受信を可能な状態にしておく際には、送受信を可能にしたい全ての周波数帯において待受けを行なう必要があった。
【０００３】
例えば８００ＭＨｚ帯を用いるＰＤＣ方式の携帯電話、９００ＭＨｚ帯を用いるＰＨＳ、２．４ＧＨｚや５．２ＧＨｚ帯を用いる無線ＬＡＮなどの異なる周波数帯で通信可能なマルチモード無線通信端末は、これら複数の周波数帯でのサービスを受けるためには複数の周波数帯において待受けを行なう必要があり、その複数の周波数帯での信号を受信するための高周波部や信号処理部等に電源を常に供給しておく必要があった。このためにマルチモード無線通信端末において、使用する周波数帯が多くなると、待受けのための消費電力が大きくなるという課題があった。
【０００４】
一方、複数の周波数帯に対応する無線通信端末としてソフトウェア無線端末の開発が行なわれている。このソフトウェア無線端末は、ソフトウェアを変更することにより、高周波部や信号処理部を複数の周波数帯に対応するように変更可能なものである。このソフトウェア無線端末において待受けを行なう際には、予め特定周波数帯の通信を想定し、ソフトウェア無線端末の受信に関わる機能を特定の周波数帯用に固定して待受けを行なう必要があった。しかしながらこの方法では、ソフトウェアの変更により複数の周波数帯に対応可能なソフトウェア無線端末においても、待受け時には１つの方式による待受けしかできないという課題があった。また、ソフトウェア無線端末においても、マルチモード無線通信端末同様に、複数の周波数帯による待受けを行なう際には、予め複数の周波数帯に対応可能なように、複数の高周波部を用意し、かつ、それら複数の高周波部や信号処理部等に常に電源を供給しておく必要があった。
【０００５】
待受け時に低消費電力化を行なう無線通信端末としては、例えば特許文献１があった。特許文献１に記載された方法は、１つの周波数帯を用いる無線通信端末において、無線信号を高周波部で受信した後に、ベースバンドに変換された受信信号を検出することにより低消費電力化を図るものである。
【特許文献１】特開平８−３０７４２８号公報
【発明の開示】
【発明が解決しようとする課題】
【０００６】
しかしながら、前記の従来技術では、利用できる周波数帯が１つであり、複数の異なる周波数帯を用いる無線通信端末では、複数の受信部に電源を供給する必要があり、利用する周波数帯が多くなると待受け時の消費電力も大きくなるという問題があった。また、無線通信端末をソフトウェア無線端末に適応する際にも、待受け時には１つの方式による待受けしかできないという問題があった。
【０００７】
特許文献１の図１における無線部（受信系）２５を、より具体的に示すと図２のようになる。図２は無線通信端末の高周波部の１例である。特許文献１の方法では、待受け時において図２の送受信切替ＳＷ２２１を受信側に切替えて、フィルタ２０１とＬＮＡ２０２とフィルタ２０３とミキサ２０４とフィルタ２０５とＤＥＭ２０６とシンセサイザ２２２を使用可能な状態にしておかなければならず、少なくともＬＮＡ２０２とミキサ２０４とＤＥＭ２０６の電源をＯＮしておかなければならなかった。さらに図２に示すフィルタ２０１、ＬＮＡ２０２、フィルタ２０３、ミキサ２０４、フィルタ２０５、ＤＥＭ２０６、シンセサイザ２２２は周波数毎に用意する必要があり、複数の周波数帯において待受けを行なう際には、その周波数帯に必要な機能部品の全ての電源をＯＮしておかなければならないという問題があった。
【課題を解決するための手段】
【０００８】
前記従来の課題を解決するために、単一、または複数の周波数帯での信号の送受信が可能な無線通信端末において、前記無線通信端末は、当該周波数帯の信号を送受信するアンテナ部と、前記アンテナ部で受信される無線信号のレベルを検出する信号レベル検出部と、無線通信端末全体の制御を行なう制御部と、送信時には前記制御部からの送信信号をベースバンド信号に変換した後、高周波部に伝送する機能と、受信時には高周波部からの受信信号をデジタル信号に変換した後、制御部に伝送する機能を有する信号処理部と、送信時には前記信号処理部からのベースバンド信号を高周波信号に変換した後、前記アンテナ部から送信する機能と、受信時には前記アンテナ部から受信した高周波信号をベースバンド信号に変換した後、前記信号処理部に伝達する機能を有する高周波部と、無線通信端末に電源を供給する電源部と、前記高周波部と前記信号処理部と前記制御部に前記電源部からの電源の供給と停止を行なうＳＷ部とから構成され、前記ＳＷ部は、信号の受信も送信も行っていない待受け時においては、前記高周波部と前記信号処理部と前記制御部に前記電源部からの電源を供給すること停止し、前記信号レベル検出部において所定の周波数帯の受信信号レベルが閾値以上検出されると、前記信号処理部と前記制御部と前記高周波部に前記電源部からの電源を供給する。
【０００９】
前記第１の発明によれば、無線通信端末は、受信のために必要な機能を停止した状態で待受けを行ない、信号レベル検出部が所定の周波数帯の信号を検出した際には、信号の送受信に関する機能部に電源を供給することで低消費電力化を実現できる。
【００１０】
また、前記無線通信端末は、互いに異なる周波数帯に対応する少なくとも２つ以上の高周波部を備え、前記信号レベル検出部において検出された受信信号の周波数帯が、前記高周波部の対応する周波数帯のいずれかと一致した場合には、前記ＳＷ部は、当該周波数帯の前記高周波部と前記信号処理部と前記制御部に前記電源部からの電源を供給する。
【００１１】
前記第２の発明によれば、無線通信端末は、受信のために必要な機能を停止した状態で待受けを行ない、信号レベル検出部が所定の周波数帯の信号を検出した際には、所定の周波数帯の信号の送受信に関する機能部に電源を供給することで低消費電力化を実現できる。
【００１２】
また、前記信号レベル検出部は、前記アンテナ部が受信した無線信号の周波数帯に応じて電圧に変換するＦ−Ｖコンバータを備える。
【００１３】
前記第３の発明によれば、無線通信端末は、信号レベル検出部をＦ−Ｖコンバータにより構成することで、信号レベル検出部は検出した信号の周波数帯に応じた電圧に変換できるので、信号レベル検出部の構成を簡単にすることができる。
【００１４】
また、請求項４記載の発明は、前記信号レベル検出部は、受信信号の閾値が、前記受信信号の周波数帯により異なるように構成される。
【００１５】
前記第４の発明によれば、無線通信端末は、信号レベル検出部において検出する信号レベルの閾値を、周波数帯毎に設定することができるので、携帯電話や無線ＬＡＮなどの異なるシステムに適用する際に、各システムが要求する、受信感度に合わせて信号レベル検出の閾値を設定することができる。
【００１６】
また、請求項５記載の発明は、前記信号レベル検出部は、受信信号の受信時間を基準時間と比較する機能を有し、前記信号レベル検出部で検出された受信信号の受信時間が基準時間より大きい場合に、受信信号のレベル検出を行う。
【００１７】
前記第５の発明によれば、無線通信端末は、信号レベル検出部において検出する信号レベルの検出時間を設定することができるので、検出したい周波数帯のシステムに適した信号のみを検出し、ノイズ信号等の検出による誤動作を防止することができる。
【００１８】
また、請求項６記載の発明は、前記高周波部と前記信号処理部は送受信する信号の周波数帯に応じて変更可能な構成であり、送受信する信号の周波数帯に応じて前記高周波部と前記信号処理部を変更するための情報を保存しておくメモリ部と、送受信する信号の周波数帯に応じて前記メモリ部の情報を参照して、前記高周波部と前記信号処理部の変更を行なうソフトウェア無線処理部を備え、前記信号レベル検出部において閾値以上の特定の周波数帯の受信信号レベルが検出されると、前記ＳＷ部は、前記信号処理部と前記制御部と前記高周波部と前記ソフトウェア無線処理部に前記電源部からの電源を供給し、前記信号レベル検出部により検出した周波数帯に応じて、前記ソフトウェア無線処理部が前記高周波部と前記信号処理部の変更を行なう。
【００１９】
前記第６の発明によれば、無線通信端末は、ソフトウェア無線端末として構成することができ、受信のために必要な機能を停止した状態で待受けを行ない、信号レベル検出部が所定の周波数帯の信号を検出した際には、信号の送受信に関する機能部に電源を供給し、検出した信号の周波数に応じて、ソフトウェアを変更することにより、受信した周波数帯の信号の送受信が可能になるので、低消費電力化を実現できる。
【００２０】
また、請求項７記載の発明は、前記信号レベル検出部において、複数の周波数帯の受信信号を検出した場合には、予め設定された優先順位に従って、前記ＳＷ部は、当該周波数帯の前記高周波部と前記信号処理部と前記制御部に前記電源部からの電源を供給する。
【００２１】
前記第７の発明によれば、無線通信端末は、受信のために必要な機能を停止した状態で待受けを行ない、信号レベル検出部が複数の所定の周波数帯の信号を検出した際には、送受信の際の消費電力が最小になる送受信に関する機能部のみに電源を供給することで低消費電力化を実現できる。
【発明の効果】
【００２２】
本発明の無線通信端末によれば、少なくとも１つ以上の周波数帯での信号の送受信が可能な無線通信端末において、アンテナ部からの複数周波数帯の受信信号を直接検出できる信号レベル検出部を設けることにより、周波数帯毎に用意した複数の高周波部のうち、通信を行っていない高周波部は、待受け時に電源をＯＦＦにできるため低消費電力化が可能となる。
【００２３】
さらに、本発明の無線通信端末によれば、ソフトウェアの変更により、複数の周波数帯に対応可能なソフトウェア無線端末においても、１つの信号レベル検出部を設けることで、複数の周波数帯に対応した待受けが実現でき、低消費電力化が可能となる。
【発明を実施するための最良の形態】
【００２４】
以下、本発明の実施の形態について、図面を参照しながら説明する。
【００２５】
（実施の形態１）
図１を参照して本発明における実施の形態１の無線通信端末１の構成について説明する。図１は、無線通信端末１の概念を示すブロック図である。無線通信端末１は、アンテナ部１４と、信号レベル検出部１１と、高周波部１１３及び１２３と、信号処理部２１と、無線通信端末１の全体の制御を行う制御部２２と、ＳＷ部１３と、各部に電源を供給する電源部１２から構成され、第１の高周波部１１３は、アンテナ部１４で受信した無線信号のうち、第１の周波数帯における信号の受信を行なう第１の受信部１１１と、信号の送信を行なう第１の送信部１１２から構成され、第２の高周波部１２３は、第１の周波数帯とは異なる第２の周波数帯において信号の受信を行なう第２の受信部１２１と、信号の送信を行なう第２の送信部１２２から構成される。
【００２６】
信号処理部２１は、信号の受信時には、各受信部１１１、１２１からのベースバンド信号を受信し、デジタル信号に変換して制御部２２に伝送し、信号の送信時には、制御部２２からデジタル信号を受信し、ベースバンド信号に変換し、各送信部１１２、１２２に伝送する。
【００２７】
またアンテナ部１４は、信号レベル検出部１１と繋がれ、信号レベル検出部１１はアンテナ部１４で受信される信号レベルの検出を行う。ＳＷ部１３は、信号レベル検出部１１における信号レベルの検出状態により、信号処理部２１、制御部２２、第１の高周波部１１３及び第２の高周波部１２３の電源をＯＦＦからＯＮ、またはＯＮからＯＦＦに切替える。
【００２８】
第１の高周波部１１３の詳細構成について図２を用いて説明する。送信時においては、送受信切替ＳＷ２２１は送信側に切替えられ、信号処理部２１から伝送されるベースバンド信号は、ＭＯＤ（Ｍｏｄｕｌａｔｉｏｎ）２１６によって所定の変調方式で変調された後、フィルタ２１５によって不要な周波数帯の信号が除去される。フィルタ２１５から送信される信号は、シンセサイザ２２２とミキサ２１４により送信する周波数帯にアップコンバートされ、ＬＮＡ（Ｌｏｗ  Ｎｏｉｓｅ  Ａｍｐｌｉｆｉｅｒｓ）２１３とＰＡ（Ｐｏｗｅｒ  Ａｍｐｌｉｆｉｅｒｓ）２１２により増幅され、フィルタ２１１により不要な周波数帯の信号が除去された後、無線信号としてアンテナ部１４により送信される。
【００２９】
受信時においては、送受信切替ＳＷ２２１が受信側に切替えられ、アンテナ部１４から受信した無線信号は、フィルタ２０１により不要な周波数帯の信号が除去される。受信した信号は、ＬＮＡ２０２により増幅され、フィルタ２０３を通った後で、シンセサイザ２２２とミキサ２０４によりダウンコンバートされ、フィルタ２０５により不要な周波数帯の信号が除去され、ＤＥＭ（Ｄｅｍｏｄｕｌａｔｉｏｎ）２０６により復調され、ベースバンド信号として信号処理部２１に伝送される。また、第２の高周波部１２３については第１の高周波部１１３と同じ構成要素であるので説明を省略する。
【００３０】
信号レベル検出部１１としては、例えば図４の回路構成となる。本実施の形態１においては、信号レベル検出部１１に添え字をつけて信号レベル検出部１１ａとして説明する。図４の信号レベル検出部１１ａは、フィルタ３１１、コンデンサ３０１、ダイオード３０２、コイル３０３、抵抗３０４、コンデンサ３０５、コンパレータ３０６、基準電圧３０７から構成される。フィルタ３１１は第１の周波数帯と第２の周波数帯の信号のみを通過させるバンドパスフィルタである。図４において、入力側ＩＮに信号が無い場合には、出力側ＯＵＴはＬＯＷレベルであるが、入力側ＩＮに第１の周波数帯、または第２の周波数帯の信号が入力されると、ダイオード３０２により、コンパレータ３０６に信号が入力される。コンパレータ３０６では、入力された信号のレベルと基準電圧３０７とを比較して、入力された信号レベルが大きければ、ＯＵＴがＨＩＧＨレベルになる。このＯＵＴの先にはＳＷ部１３が接続されている。
【００３１】
次に図３を用いて無線通信端末１の動作について説明する。図３は本実施の形態１の無線通信端末１におけるフロー図である。
【００３２】
無線通信端末１は無線信号を送信も受信もしていない、待受け状態においては、信号レベル検出部１１ａの電源のみがＯＮされ、信号の送受信に関する部分、すなわち信号処理部２１、制御部２２、第１の高周波部１１３、第２の高周波部１２３の電源はＯＦＦされている（Ｓ００１）。アンテナ部１４が信号を受信すると、受信した信号は信号レベル検出部１１ａに伝送される。信号レベル検出部１１ａでは、受信した信号の周波数帯が第１の周波数帯、または第２の周波数帯のいずれかであり、その受信レベルが閾値以上の信号であれば、信号を受信したことを検出する（Ｓ００２）。
【００３３】
信号レベル検出部１１ａのＯＵＴのレベルがＨＩＧＨレベルになると（Ｓ００３）、ＳＷ部１３により信号処理部２１、制御部２２、第１の高周波部１１３及び第２の高周波部１２３の電源がＯＮされる（Ｓ００４）。例えば、無線通信端末１の受信している信号が第１の周波数帯の信号の場合には、第１の高周波部１１３の電源がＯＮされているので、アンテナ部１４から受信した信号を第１の受信部１１１が受信することで、無線通信端末１は第１の周波数帯を用いて信号の送受信が可能になる（Ｓ００５）。
【００３４】
また、信号レベル検出部１１ａにおいて、一定時間の間に周波数帯が第１の周波数帯、または第２の周波数帯のいずれかであり、その受信レベルが閾値以上の信号を受信しなければ、信号レベル検出部１１ａのＯＵＴのレベルが一定時間ＬＯＷレベルになるので（Ｓ００６）、ＳＷ部１３により信号処理部２１、制御部２２、第１の高周波部１１３及び第２の高周波部１２３の電源がＯＦＦされる（Ｓ００７）。
【００３５】
なお、本実施の形態では無線通信端末１の信号レベル検出部１１として、図４の回路構成の信号レベル検出部１１ａの例を示したが、第１の周波数帯と第２の周波数帯の信号の検出が可能な回路を用いれば、同様の効果が得られる。
【００３６】
さらに、本実施の形態では無線通信端末１として、第１の周波数帯と第２の周波数帯の２つの周波数帯の送受信ができる場合の例を説明したが、無線通信端末１が１つの周波数帯のみを送受信する場合や、無線通信端末１が３つ以上の周波数帯を用いる場合でも、所望の周波数帯に応じた高周波部及び信号レベル検出部を設けることにより同様の効果が得られる。
【００３７】
（実施の形態２）
実施の形態２では、無線通信端末１において、受信する周波数帯に応じて特定の高周波部の電源のみをＯＮするものである。
【００３８】
無線通信端末１の概念を示すブロック図を図１、高周波部１１３の詳細構成を表す図を図２として、同じ構成要素であり同じ符号を用い説明を省略する。
【００３９】
信号レベル検出部１１としては、例えば図６の回路構成となる。本実施の形態２においては、信号レベル検出部１１に添え字をつけて信号レベル検出部１１ｂとして説明する。図６において、図４で示した機能と同様の機能を有する部分には、図４に示した同じ符号に添え字ａ、ｂをつけている。図６において、入力側ＩＮに信号が無い場合には、出力側ＯＵＴ１、ＯＵＴ２は共にＬＯＷレベルである。
【００４０】
フィルタ３１１ａは第１の周波数帯の信号のみを通過させるバンドパスフィルタであり、入力側ＩＮに第１の周波数帯の信号が入力されると、ダイオード３０２ａにより、コンパレータ３０６ａに信号が入力される。コンパレータ３０６ａでは、入力された信号のレベルと基準電圧３０７とを比較して、入力された信号レベルが大きければ、ＯＵＴ１がＨＩＧＨレベルになる。このＯＵＴ１の先にはＳＷ部１３が接続されている。
【００４１】
また、フィルタ３１１ｂは第２の周波数帯の信号のみを通過させるバンドパスフィルタであり、入力側ＩＮに第２の周波数帯の信号が入力されると、ダイオード３０２ｂにより、コンパレータ３０６ｂに信号が入力される。コンパレータ３０６ｂでは、入力された信号のレベルと基準電圧３０７とを比較して、入力された信号レベルが大きければ、ＯＵＴ２がＨＩＧＨレベルになる。このＯＵＴ２の先にはＳＷ部１３が接続されている。
【００４２】
さらに信号レベル検出部１１としては、例えば図７の回路構成でも実現できる。図７の信号レベル検出部１１は添え字をつけて信号レベル検出部１１ｃとして説明する。図７は図６の回路からフィルタ３１１ａ、フィルタ３１１ｂを除き、方向性結合器３４１を追加した構成であり、図６に示した同じ符号の構成要素については説明を省略する。
【００４３】
方向性結合器３４１は、ポート１から第１の周波数帯の信号（ｆ１）が入力された場合には、ポート２からｆ１の信号を出力する。また、方向性結合器３４１は、ポート１から第２の周波数帯の信号（ｆ２）が入力された場合には、ポート３からｆ２の信号を出力する。これにより、図６で構成される信号レベル検出器１１ｂと同様に特定の周波数の信号がある場合にのみ信号を検出することが可能であり、さらに、図６で構成される信号レベル検出器１１ｂに比べ、方向性結合器３４１を用いることにより、信号の過剰損失が少なくなるため、アテナ部１４で受信した信号が低レベルの場合でも検出することが容易となる。
【００４４】
次に図５を用いて無線通信端末１の動作について説明する。図５は本実施の形態２の無線通信端末１の動作に関するフロー図である。
【００４５】
無線通信端末１は無線信号を送信も受信もしていない、待受け状態においては、信号レベル検出部１１ｂの電源のみがＯＮされ、信号の送受信に関する部分、すなわち信号処理部２１、制御部２２、第１の高周波部１１３、第２の高周波部１２３の電源はＯＦＦされている（Ｓ００１）。アンテナ部１４が信号を受信すると、受信した信号は信号レベル検出部１１ｂに伝送される。信号レベル検出部１１ｂでは、受信信号が第１の周波数帯であり、その受信レベルが閾値以上の信号であれば、信号を受信したことを検出する（Ｓ０１２）。
【００４６】
信号レベル検出部１１ｂのＯＵＴ１のレベルがＨＩＧＨレベルになると（Ｓ０１３）、ＳＷ部１３により信号処理部２１、制御部２２、第１の高周波部１１３の電源がＯＮされる（Ｓ０１４）。第１の高周波部１１３の電源がＯＮされ、アンテナ部１４から受信した信号を第１の受信部１１１が受信することで、無線通信端末１は第１の周波数帯を用いて通信が可能になる（Ｓ０１５）。
【００４７】
信号レベル検出部１１ｂにおいて、一定時間の間に周波数帯が第１の周波数帯であり、その受信レベルが閾値以上の信号を受信しなければ、信号レベル検出部１１ａのＯＵＴ１のレベルが一定時間ＬＯＷレベルになるので（Ｓ０１６）、ＳＷ部１３により信号処理部２１、制御部２２、第１の高周波部１１３の電源がＯＦＦされる（Ｓ０１７）。
【００４８】
また、信号レベル検出部１１ｂでは、受信信号が第２の周波数帯であり、その受信レベルが閾値以上の信号であれば、信号を受信したことを検出する（Ｓ０２２）。
【００４９】
信号レベル検出部１１ｂのＯＵＴ２のレベルがＨＩＧＨレベルになると（Ｓ０２３）、ＳＷ部１３により信号処理部２１、制御部２２、第２の高周波部１２３の電源がＯＮされる（Ｓ０２４）。第２の高周波部１２３の電源がＯＮされ、アンテナ部１４から受信した信号を第２の受信部１２１が受信することで、無線通信端末１は第２の周波数帯を用いて通信が可能になる（Ｓ０２５）。
【００５０】
信号レベル検出部１１ｂにおいて、一定時間の間に周波数帯が第２の周波数帯であり、その受信レベルが閾値以上の信号を受信しなければ、信号レベル検出部１１ｂのＯＵＴ２のレベルが一定時間ＬＯＷレベルになるので（Ｓ０２６）、ＳＷ部１３により信号処理部２１、制御部２２、第２の高周波部１２３の電源がＯＦＦされる（Ｓ０２７）。
【００５１】
なお、本実施の形態では無線通信端末１の信号レベル検出部１１として図６の信号レベル検出部１１ｂの回路構成の例を示したが、図７の信号レベル検出部１１ｃの回路構成でも同様の効果が得られる。また、第１の周波数帯と第２の周波数帯のそれぞれの信号の検出が可能な回路を用いれば、同様の効果が得られる。
【００５２】
さらに、本実施の形態では無線通信端末１として、第１の周波数帯と第２の周波数帯の２つの周波数帯の送受信ができる場合の例を説明したが、無線通信端末１が１つの周波数帯のみを送受信する場合や、無線通信端末１が３つ以上の周波数帯を用いる場合でも、所望の周波数帯に応じた高周波部及び信号レベル検出部を設けることにより同様の効果が得られる。
【００５３】
（実施の形態３）
実施の形態３では、無線通信端末１において、信号レベル検出部１１が周波数に応じた電圧に変換する回路で構成されるものである。
【００５４】
無線通信端末１の概念を示すブロック図を図１、高周波部１１３の詳細構成を表す図を図２として、同じ構成要素であり同じ符号を用い説明を省略する。
【００５５】
信号レベル検出部１１としては、例えば図９の回路構成となる。本実施の形態３においては、信号レベル検出部１１に添え字をつけて信号レベル検出部１１ｄとして説明する。信号レベル検出部１１ｄはフィルタ３５２、Ｆ−Ｖコンバータ３５１、コンパレータ３５３、インバータ３５４、及び基準電圧３５５から構成される。フィルタ３５２は第１の周波数と第２の周波数の信号のみを通過させるバンドパスフィルタである。Ｆ−Ｖコンバータ３５１は、あるレベル以上の第１の周波数帯の信号が入力されると電圧Ｖ１を出力し、第２の周波数帯の信号が入力されると電圧Ｖ２を出力する。このとき、基準電圧３５５をＶ０として、電圧Ｖ０、Ｖ１、Ｖ２の大きさの関係をＶ１＜Ｖ０＜Ｖ２とする。入力側ＩＮに信号が無い場合には、出力側ＯＵＴ０はＬＯＷレベルであるが、入力側ＩＮに第１の周波数帯、または第２の周波数帯の信号で、その受信レベルが閾値以上の信号が入力されると、ＯＵＴ０がＨＩＧＨレベルになる。
【００５６】
コンパレータ３５３は電圧の比較を行い、基準電圧Ｖ０より、小さい電圧が入力されるとＬＯＷレベル、高い電圧が入力されるとＨＩＧＨレベルを出力する。例えば、コンパレータ３５３に入力された電圧がＶ１であれば、基準電圧Ｖ０より小さいので、コンパレータ３５３からＬＯＷレベルが出力され、ＯＵＴ２にはＬＯＷレベルが出力される一方、ＯＵＴ１にはインバータ３５４を通ってＨＩＧＨレベルが出力される。また、コンパレータ３５３に入力された電圧がＶ２であれば、基準電圧Ｖ０より大きいので、コンパレータ３５３からＨＩＧＨレベルが出力され、ＯＵＴ２にはＨＩＧＨレベルが出力される一方、ＯＵＴ１にはインバータ３５４を通ってＬＯＷレベルが出力される。これにより、ＯＵＴ０とＯＵＴ１がＨＩＧＨになれば第１の周波数帯の信号を受信したと検出でき、ＯＵＴ０とＯＵＴ２がＨＩＧＨになれば、第２の周波数帯の信号を受信したと検出することができる。これらＯＵＴ０、ＯＵＴ１、及びＯＵＴ２の先にはＳＷ部１３が接続されている。
【００５７】
次に図８を用いて無線通信端末１の動作について説明する。図８は本実施の形態３の無線通信端末１の動作に関するフロー図である。
【００５８】
無線通信端末１は無線信号を送信も受信もしていない、待受け状態においては、信号レベル検出部１１ｄの電源のみがＯＮされ、信号の送受信に関する部分、すなわち信号処理部２１、制御部２２、第１の高周波部１１３、第２の高周波部１２３の電源はＯＦＦされている（Ｓ００１）。
【００５９】
アンテナ部１４が信号を受信すると、受信した信号は信号レベル検出部１１ｄに伝送され、信号レベル検出部１１ｄでは、受信した信号レベルが第１の周波数帯、または第２の周波数帯の信号であり、その受信レベルが閾値以上の信号であれば、ＯＵＴ０がＨＩＧＨになる（Ｓ１０２）。Ｆ−Ｖコンバータ３５１は、入力された信号が第１の周波数帯であれば電圧Ｖ１、入力された信号が第２の周波数帯であれば電圧Ｖ２を出力し、コンパレータ３５３でＦ−Ｖコンバータ３５１から出力された電圧と基準電圧Ｖ０の比較を行なう（Ｓ１０３）。
【００６０】
アンテナ部１４で受信した信号が第１の周波数帯であれば、コンパレータ３５３からインバータ３５４を介してＯＵＴ１にはＨＩＧＨレベルが出力される（Ｓ１１３）。ＳＷ部１３は、ＯＵＴ０のレベルがＨＩＧＨレベルであることと、ＯＵＴ１のレベルがＨＩＧＨレベルであることから、信号処理部２１、制御部２２、第１の高周波部１１３の電源をＯＮにする（Ｓ１１４）。これにより、無線通信端末１は第１の周波数帯を用いた通信が可能になる（Ｓ１１５）。
【００６１】
信号レベル検出部１１ｄにおいて、一定時間の間に周波数帯が第１の周波数帯のであり、その受信レベルが閾値以上の信号を受信しなければ、信号レベル検出部１１ｄのＯＵＴ１のレベルが一定時間ＬＯＷレベルになるので（Ｓ１１６）、ＳＷ部１３により信号処理部２１、制御部２２、第１の高周波部１１３の電源がＯＦＦされる（Ｓ１１７）。
【００６２】
また、アンテナ部１４で受信した信号が第２の周波数帯であれば、コンパレータ３５３からＯＵＴ２にＨＩＧＨレベルが出力される（Ｓ１２３）。ＳＷ部１３は、ＯＵＴ０のレベルがＨＩＧＨレベルであることと、ＯＵＴ２のレベルがＨＩＧＨレベルであることから、信号処理部２１、制御部２２、第２の高周波部１２３の電源をＯＮにする（Ｓ１２４）。これにより、無線通信端末１は第２の周波数帯を用いた通信が可能になる（Ｓ１２５）。
【００６３】
信号レベル検出部１１ｄにおいて、一定時間の間に周波数帯が第２の周波数帯のであり、その受信レベルが閾値以上の信号を受信しなければ、信号レベル検出部１１ｄのＯＵＴ２のレベルが一定時間ＬＯＷレベルになるので（Ｓ１２６）、ＳＷ部１３により信号処理部２１、制御部２２、第２の高周波部１２３の電源がＯＦＦされる（Ｓ１２７）。
【００６４】
なお、本実施の形態では無線通信端末１の信号レベル検出部１１として図９の信号レベル検出部１１ｄの回路構成の例を示したが、第１の周波数帯と第２の周波数帯のそれぞれの信号を異なる電圧に変換し検出が可能な回路を用いれば、同様の効果が得られる。
【００６５】
さらに、本実施の形態では無線通信端末１として、第１の周波数帯と第２の周波数帯の２つの周波数帯の送受信ができる場合の例を説明したが、無線通信端末１が１つの周波数帯のみを送受信する場合や、無線通信端末１が３つ以上の周波数帯を用いる場合でも、所望の周波数帯に応じた高周波部及び信号レベル検出部を設けることにより同様の効果が得られる。
【００６６】
（実施の形態４）
実施の形態４では、無線通信端末１において、検出する周波数帯に応じて信号レベルの閾値を任意に設定できるものである。
【００６７】
無線通信端末１の概念を示すブロック図を図１、高周波部１１３の詳細構成を表す図を図２として、同じ構成要素であり同じ符号を用い説明を省略する。
【００６８】
信号レベル検出部１１としては、例えば図１１の回路構成となる。本実施の形態４においては、信号レベル検出部１１に添え字をつけて信号レベル検出部１１ｅとして説明する。図１１の信号レベル検出部１１ｅは、図６の回路にＬＮＡ３１２ａ、ＬＮＡ３１２ｂを追加した構成であり、他は図６と同じ符号を使い説明を省略する。例えば、第１の周波数帯の信号は微弱な信号でも受信したい場合、図１１のＬＮＡ３１２ａは高利得なものを使用するか、もしくはＬＮＡをいくつか直列に並べて、第１の周波数帯で通信を行うための最小受信レベル（閾値１とする）以上の受信信号が検出できるように利得を調整する。
【００６９】
一方、第２の周波数帯の信号は比較的大きな信号のみで受信したい場合は、ＬＮＡ３１２ｂは低利得なＬＮＡを使用し、第２の周波数帯で通信を行うための最小受信レベル（閾値２とする）以上の受信信号が検出できるようにする。また、場合によっては、ＬＮＡ３１２ｂは使用しなくてもよいし、ＬＮＡ３１２ｂの替わりに減衰器を使用してもよい。
【００７０】
さらに信号レベル検出部１１としては、例えば図１２の回路構成でも実現できる。図１２の信号レベル検出部１１は添え字をつけて信号レベル検出部１１ｆとする。図１２は図１１の回路の基準電圧３０７を、基準電圧３０７ａと基準電圧３０７ｂにした構成であり、図１１に示した同じ符号の構成要素については説明を省略する。例えば、第１の周波数帯の信号は微弱な信号でも受信したい場合、基準電圧３０７ａの値を小さくすることで、第１の周波数帯で通信を行うための最小受信レベル（閾値１とする）以上の受信信号が検出できるように調整する。ＬＮＡ３１２ａは高利得なものを使用するか、もしくはＬＮＡをいくつか直列に並べてもよいし、場合によっては、ＬＮＡ３１２ｂは使用しなくてもよい。
【００７１】
一方、第２の周波数帯の信号は比較的大きな信号のみで受信したい場合は、基準電圧３０７ｂの値を大きくすることで、第２の周波数帯で通信を行うための最小受信レベル（閾値２とする）以上の受信信号が検出できるようにする。また、場合によっては、ＬＮＡ３１２ｂは使用しなくてもよいし、ＬＮＡ３１２ｂの替わりに減衰器を使用してもよい。
【００７２】
次に図１０を用いて無線通信端末１の動作について説明する。図１０は本実施の形態４の無線通信端末１の動作に関するフロー図である。
【００７３】
無線通信端末１は無線信号を送信も受信もしていない、待受け状態においては、信号レベル検出部１１ｅの電源のみがＯＮされ、信号の送受信に関する部分、すなわち信号処理部２１、制御部２２、第１の高周波部１１３、第２の高周波部１２３の電源はＯＦＦされている（Ｓ００１）。
【００７４】
アンテナ部１４が信号を受信すると、受信した信号は信号レベル検出部１１ｅに伝送される。信号レベル検出部１１ｅでは、受信した第１の周波数帯の信号レベルが閾値１以上であれば、信号が入力されたと検出する（Ｓ２１２）。このとき、信号レベル検出部１１ｅのＯＵＴ１のレベルがＨＩＧＨレベルになるので（Ｓ２１３）、ＳＷ部１３は信号処理部２１、制御部２２、第１の高周波部１１３の電源をＯＮにする（Ｓ２１４）。これにより、無線通信端末１は第１の周波数帯を用いた通信が可能になる（Ｓ２１５）。
【００７５】
信号レベル検出部１１ｅにおいて、一定時間の間に周波数帯が第１の周波数帯のであり、その受信レベルが閾値１以上の信号を受信しなければ、信号レベル検出部１１ｅのＯＵＴ１のレベルが一定時間ＬＯＷレベルになるので（Ｓ２１６）、ＳＷ部１３により信号処理部２１、制御部２２、第１の高周波部１１３の電源がＯＦＦされる（Ｓ２１７）。
【００７６】
また、信号レベル検出部１１ｅでは、受信した第２の周波数帯の信号レベルが閾値２以上であれば、信号が入力されたと検出する（Ｓ２２２）。このとき、信号レベル検出部１１ｅのＯＵＴ２のレベルがＨＩＧＨレベルになるので（Ｓ２２３）、ＳＷ部１３は信号処理部２１、制御部２２、第２の高周波部１２３の電源をＯＮにする（Ｓ２２４）。これにより、無線通信端末１は第２の周波数帯を用いた通信が可能になる（Ｓ２２５）。
【００７７】
信号レベル検出部１１ｅにおいて、一定時間の間に周波数帯が第２の周波数帯のであり、その受信レベルが閾値２以上の信号を受信しなければ、信号レベル検出部１１ｅのＯＵＴ２のレベルが一定時間ＬＯＷレベルになるので（Ｓ２２６）、ＳＷ部１３により信号処理部２１、制御部２２、第２の高周波部１２３の電源がＯＦＦされる（Ｓ２２７）。
【００７８】
なお、本実施の形態では無線通信端末１の信号レベル検出部１１として図１１の信号レベル検出部１１ｅの回路構成の例を示したが、図１２の信号レベル検出部１１ｆの回路構成でも同様の効果が得られる。また、第１の周波数帯と第２の周波数帯のそれぞれの信号の検出の閾値を変更可能な回路を用いれば、同様の効果が得られる。
【００７９】
さらに、本実施の形態では無線通信端末１として、第１の周波数帯と第２の周波数帯の２つの周波数帯の送受信ができる場合の例を説明したが、無線通信端末１が１つの周波数帯のみを送受信する場合や、無線通信端末１が３つ以上の周波数帯を用いる場合でも、所望の周波数帯に応じた高周波部及び信号レベル検出部を設けることにより同様の効果が得られる。
【００８０】
（実施の形態５）
実施の形態５では、無線通信端末１において、信号レベル検出部１１の信号を検出する時間が一定以上の場合のみ、検出したと判断するものである。
【００８１】
無線通信端末１の概念を示すブロック図を図１、高周波部１１３の詳細構成を表す図を図２として、同じ構成要素であり同じ符号を用い説明を省略する。
【００８２】
信号レベル検出部１１としては、例えば図１４の回路構成となる。本実施の形態５においては、信号レベル検出部１１に添え字をつけて信号レベル検出部１１ｇとして説明する。図１４の信号レベル検出部１１ｇは、図４の回路に比較器３３１とパルス発生器３３２を追加した構成であり、図４に示した同じ符号の構成要素については説明を省略する。パルス発生器３３２は時間Ｔ０のパルスを発生する装置であり、比較器３３１は入力される信号の時間幅Ｔ１が、パルス発生器３３２のパルス幅Ｔ０より大きいと、信号を出力させる装置である。図１４のフィルタ３１１から出力された信号は、Ｔ０＜Ｔ１の場合には比較器３３１を通過し、Ｔ０≧Ｔ１の場合には比較器３３１を通過しない。
【００８３】
次に図１３を用いて無線通信端末１の動作について説明する。図１３は本実施の形態５の無線通信端末１の動作に関するフロー図である。
【００８４】
無線通信端末１は無線信号を送信も受信もしていない、待受け状態においては、信号レベル検出部１１ｇの電源のみがＯＮされ、信号の送受信に関する部分、すなわち信号処理部２１、制御部２２、第１の高周波部１１３、第２の高周波部１２３の電源はＯＦＦされている（Ｓ００１）。
【００８５】
アンテナ部１４が信号を受信すると、受信信号は比較器３３１に入力され、比較器３３１に入力された信号の時間幅Ｔ１が、パルス発生器のパルス幅Ｔ０より大きければ比較器を通過する（Ｓ３０１）。信号レベル検出部１１ｇでは、受信した信号の周波数帯が第１の周波数帯、または第２の周波数帯のいずれかであり、その受信レベルが閾値以上の信号であれば、信号を受信したことを検出する（Ｓ３０２）。信号レベル検出部１１ｇのＯＵＴのレベルがＨＩＧＨレベルになると（Ｓ３０３）、ＳＷ部１３により信号処理部２１、制御部２２、第１の高周波部１１３及び第２の高周波部１２３の電源がＯＮされる（Ｓ３０４）。例えば、無線通信端末１の受信している信号が第１の周波数帯の信号の場合には、第１の高周波部１１３の電源がＯＮされているので、アンテナ部１４から受信した信号を第１の受信部１１１が受信することで、無線通信端末１は第１の周波数帯を用いて信号の送受信が可能になる（Ｓ３０５）。
【００８６】
また、信号レベル検出部１１ｇにおいて、一定時間の間に周波数帯が第１の周波数帯のであり、その受信レベルが閾値以上の信号を受信しなければ、信号レベル検出部１１ｇのＯＵＴのレベルが一定時間ＬＯＷレベルになるので（Ｓ３０６）、ＳＷ部１３により信号処理部２１、制御部２２、第１の高周波部１１３及び第２の高周波部１２３の電源がＯＦＦされる（Ｓ３０７）。
【００８７】
なお、本実施の形態では無線通信端末１の信号レベル検出部１１として図１４の信号レベル検出部１１ｇの回路構成の例を示したが、入力した信号の時間幅を比較できる回路を用いることで、同様の効果が得られる。
【００８８】
さらに、本実施の形態では無線通信端末１として、第１の周波数帯と第２の周波数帯の２つの周波数帯の送受信ができる場合の例を説明したが、無線通信端末１が１つの周波数帯のみを送受信する場合や、無線通信端末１が３つ以上の周波数帯を用いる場合でも、所望の周波数帯に応じた高周波部及び信号レベル検出部をもうけることにより同様の効果が得られる。
【００８９】
（実施の形態６）
実施の形態６では、無線通信端末１がソフトウェア無線端末であり、信号レベル検出部１１により信号を検出すると、各部の電源をＯＮした後に、受信した周波数に応じてソフトウェアを書き換え、受信した周波数帯での送受信を可能にするものである。
【００９０】
図１６は本実施の形態６の無線通信端末１におけるブロック図である。本実施の形態６においては、無線通信端末１に添え字をつけて無線通信端末１ａとして説明する。
【００９１】
図１６に示す無線通信端末１ａは図１の無線通信端末１と基本的構成は同じで、その他の要素として、ソフトウェア無線処理部５０１とメモリ５０２を備える。また、高周波部５２３は、受信部５２１と送信部５２２から構成される。図１６において図１に示す同じ構成要素に関しては説明を省略する。
【００９２】
ソフトウェア無線処理部５０１は、ＳＷ部１３からの指示により電源がＯＮされ、信号レベル検出部１１が第１の周波数帯の信号を受信した場合には、メモリ５０２を参照して信号処理部２１と高周波部５２３を書き換え、第１の周波数帯の信号が送受信可能なように変更する。また、ソフトウェア無線処理部５０１は、ＳＷ部１３からの指示により電源がＯＮされ、信号レベル検出部１１が第２の周波数帯の信号を受信した場合には、メモリ５０２を参照して信号処理部２１と高周波部５２３を書き換え、第２の周波数帯の信号が送受信可能なように変更する。
【００９３】
高周波部５２３の詳細構成を表す図を図２として同じ構成要素であり同じ符号を用いる。
【００９４】
実施の形態６における高周波部５２３は第１の周波数帯と第２の周波数帯の両方の周波数帯に対応した構成であり、各構成要素も第１の周波数帯及び第２の周波数帯に対応している。
【００９５】
信号レベル検出部１１は、図６の信号レベル検出部１１ｂの回路として、同じ構成要素であり同じ符号を用い説明を省略する。
【００９６】
次に図１５を用いて無線通信端末１ａの動作について説明する。図１５は本実施の形態６における無線通信端末１ａの動作に関するフロー図である。
【００９７】
無線通信端末１ａは無線信号を送信も受信もしていない、待受け状態においては、信号レベル検出部１１ｂの電源のみがＯＮされ、信号の送受信に関する部分、すなわち信号処理部２１、制御部２２、高周波部５２３の電源はＯＦＦされている（Ｓ００１）。
【００９８】
アンテナ部１４が信号を受信すると、受信した信号は信号レベル検出部１１ｂに伝送される。信号レベル検出部１１ｂでは、受信信号が第１の周波数帯であり、その受信レベルが閾値以上の信号であれば、信号を受信したことを検出する（Ｓ５１２）。信号レベル検出部１１ｂのＯＵＴ１のレベルがＨＩＧＨレベルになると（Ｓ５１３）、ＳＷ部１３により信号処理部２１、制御部２２、高周波部５２３、ソフトウェア無線処理部５０１の電源がＯＮされる（Ｓ５１４）。その後、ソフトウェア無線処理部５０１が、メモリ５０２を参照して、信号処理部２１と高周波部５２３を第１の周波数帯の信号が送受信可能なように変更する（Ｓ５１５）。無線通信端末１ａは、高周波部５２３の電源がＯＮされ、第１の周波数帯の信号が送受信可能に変更されていることから、第１の周波数帯を用いた通信が可能になる（Ｓ５１６）。
【００９９】
信号レベル検出部１１ｂにおいて、一定時間の間に周波数帯が第１の周波数帯であり、その受信レベルが閾値以上の信号を受信しなければ、信号レベル検出部１１ａのＯＵＴ１のレベルが一定時間ＬＯＷレベルになるので（Ｓ５１７）、ＳＷ部１３により信号処理部２１と制御部２２と高周波部５２３とソフトウェア無線処理部５０１の電源がＯＦＦされる（Ｓ５１８）。
【０１００】
また、信号レベル検出部１１ｂでは、受信信号が第２の周波数帯であり、その受信レベルが閾値以上の信号であれば、信号を受信したことを検出する（Ｓ５２２）。信号レベル検出部１１ｂのＯＵＴ２のレベルがＨＩＧＨレベルになると（Ｓ５２３）、ＳＷ部１３により信号処理部２１と制御部２２と高周波部５２３とソフトウェア無線処理部５０１の電源がＯＮされる（Ｓ５２４）。その後、ソフトウェア無線処理部５０１が、メモリ５０２を参照して、信号処理部２１と高周波部５２３を第２の周波数帯の信号が送受信可能なように変更する（Ｓ５２５）。無線通信端末１ａは、高周波部５２３の電源がＯＮされ、第２の周波数帯の信号が送受信可能に変更されていることから、第２の周波数帯を用いた通信が可能になる（Ｓ５２６）。
【０１０１】
信号レベル検出部１１ｂにおいて、一定時間の間に周波数帯が第２の周波数帯であり、その受信レベルが閾値以上の信号を受信しなければ、信号レベル検出部１１ｂのＯＵＴ２のレベルが一定時間ＬＯＷレベルになるので（Ｓ５２７）、ＳＷ部１３により信号処理部２１と制御部２２と高周波部５２３とソフトウェア無線処理部５０１の電源がＯＦＦされる（Ｓ５２８）。
【０１０２】
なお、本実施の形態では無線通信端末１ａの信号レベル検出部１１として、図６の回路構成の信号レベル検出部１１ｂの例を示したが、図４や図７、図９、図１１、図１２の回路構成を用いても同様の効果が得られる。また、第１の周波数帯と第２の周波数帯の信号の検出が可能な回路を用いれば、同様の効果が得られる。
【０１０３】
さらに、本実施の形態では無線通信端末１ａとして、第１の周波数帯と第２の周波数帯の２つの周波数帯の送受信ができる場合の例を説明したが、無線通信端末１ａが１つの周波数帯のみを送受信する場合や、無線通信端末１ａが３つ以上の周波数帯を用いる場合でも、所望の周波数帯に応じた高周波部及び信号レベル検出部を設けることにより同様の効果が得られる。
【０１０４】
また、本実施の形態では高周波部として高周波部５２３を用いた例を示したが、例えば、比較的高い周波数に対応する高周波部と比較的低い周波数に対応する高周波部のように２つの高周波部を用いる場合や、３つ以上の高周波部を用いる場合でも同様の効果が得られる。
【０１０５】
（実施の形態７）
実施の形態７では、無線通信端末１が受信可能な複数の周波数の信号を受信した場合には、予め設定されている優先順位に従って、受信する信号を決定するものである。
【０１０６】
無線通信端末１の概念を示すブロック図を図１、高周波部１１３の詳細構成を表す図を図２として、同じ構成要素であり同じ符号を用い説明を省略する。
【０１０７】
信号レベル検出部１１としては、例えば図１８の回路構成となる。本実施の形態７においては、信号レベル検出部１１に添え字をつけて信号レベル検出部１１ｈとして説明する。図１８の信号レベル検出部１１ｈは、図６の回路に論理和４０１を追加した構成であり、他は図６と同じ符号を使い説明を省略する。信号レベル検出部１１ｈにおいて、入力側ＩＮに信号が無い場合には、出力側ＯＵＴ０はＬＯＷレベルであるが、入力側ＩＮに第１の周波数帯、または第２の周波数帯の信号で、その受信レベルが閾値以上の信号が入力されれば、論理輪４０１によりＯＵＴ０がＨＩＧＨレベルになる。
【０１０８】
次に図１７を用いて無線通信端末１の動作について説明する。図１７は本実施の形態７における無線通信端末１の動作に関するフロー図である。
【０１０９】
無線通信端末１は、第１の周波数帯と第２の周波数帯の信号の送受信が可能であるが、第２の周波数帯の信号を用いた通信の優先順位を第１の周波数帯の信号を用いた通信より高く設定しておく（Ｓ６０１）。これは、例えば無線通信端末１において、第１の周波数帯を用いた通信と、第２の周波数帯を用いた通信の消費電力を比較した場合に、第２の周波数帯を用いた通信の消費電力が、第１の周波数帯を用いた通信の消費電力より小さい場合に無線通信端末１の消費電力を小さくする方法として有効である。具体的な優先順位の設定方法は、ＳＷ部１３においてＯＵＴ１とＯＵＴ２の両方がＨＩＧＨレベルの時には、ＯＵＴ２の方の値を使用することで実現できる。
【０１１０】
無線通信端末１は無線信号を送信も受信もしていない、待受け状態においては、信号レベル検出部１１ｈの電源のみがＯＮされ、信号の送受信に関する部分、すなわち信号処理部２１、制御部２２、第１の高周波部１１３、第２の高周波部１２３の電源はＯＦＦされている（Ｓ６０２）。アンテナ部１４が信号を受信すると、受信した信号は信号レベル検出部１１ｈに伝送される。信号レベル検出部１１では、受信した信号レベルが第１の周波数帯、または第２の周波数帯であれば、ＯＵＴ０がＨＩＧＨになる（Ｓ６０３）。
【０１１１】
信号レベル検出部１１ｈでは、受信信号に第２の周波数帯の信号が含まれていて、その受信レベルが閾値以上の信号であれば、第２の周波数帯の信号を受信したことを検出する（Ｓ６１２）。信号レベル検出部１１ｈのＯＵＴ２のレベルがＨＩＧＨレベルになると（Ｓ６１３）、ＳＷ部１３により信号処理部２１、制御部２２、第２の高周波部１２３の電源がＯＮされる（Ｓ６１４）。第２の高周波部１２３の電源がＯＮされ、アンテナ部１４から受信した信号を第２の受信部１２１が受信することで、無線通信端末１は第２の周波数帯を用いて通信が可能になる（Ｓ６１５）。
【０１１２】
信号レベル検出部１１ｈにおいて、一定時間の間に周波数帯が第２の周波数帯であり、その受信レベルが閾値以上の信号を受信しなければ、信号レベル検出部１１ｈのＯＵＴ２のレベルが一定時間ＬＯＷレベルになるので（Ｓ６１６）、ＳＷ部１３により信号処理部２１、制御部２２、第２の高周波部１２３の電源がＯＦＦされる（Ｓ６１７）。
【０１１３】
また、信号レベル検出部１１ｈでは、受信信号に第２の周波数帯の信号が含まれていなければ（Ｓ６１２）、信号レベル検出部１１ｈのＯＵＴ１のレベルがＨＩＧＨレベルになるので（Ｓ６２３）、ＳＷ部１３により信号処理部２１、制御部２２、第１の高周波部１１３の電源がＯＮされる（Ｓ６２４）。第１の高周波部１１３の電源がＯＮされ、アンテナ部１４から受信した信号を第１の受信部１１１が受信することで、無線通信端末１は第１の周波数帯を用いて通信が可能になる（Ｓ６２５）。
【０１１４】
また、信号レベル検出部１１ｈにおいて、一定時間の間に周波数帯が第１の周波数帯であり、その受信レベルが閾値以上の信号を受信しなければ、信号レベル検出部１１ｈのＯＵＴ１のレベルが一定時間ＬＯＷレベルになるので（Ｓ６２６）、ＳＷ部１３により信号処理部２１、制御部２２、第１の高周波部１１３の電源がＯＦＦされる（Ｓ６２７）。
【０１１５】
なお、本実施の形態では無線通信端末１の信号レベル検出部１１として図１８の信号レベル検出部１１ｈの回路構成の例を示したが、第１の周波数帯と第２の周波数帯の優先順位を設定可能な構成を用いれば、同様の効果が得られる。
【０１１６】
さらに、本実施の形態では無線通信端末１として、第１の周波数帯と第２の周波数帯の２つの周波数帯の送受信ができる場合の例を説明したが、無線通信端末１が３つ以上の周波数帯を用いる場合でも、所望の周波数帯に応じた高周波部及び信号レベル検出部を設けることにより同様の効果が得られる。
【産業上の利用可能性】
【０１１７】
本発明にかかわる無線通信端末は、複数の高周波部を持つことで複数の周波数帯信号を利用した通信が可能なマルチモード端末や、ソフトウェアを変更することにより複数の周波数帯信号を利用した通信が可能なソフトウェア無線端末において、待受け時の消費電力を低減させる際に有用である。
【図面の簡単な説明】
【０１１８】
【図１】本発明の実施の形態１における無線通信端末１のブロック図
【図２】本発明の実施の形態１における無線通信端末１の第１の高周波部１１３のブロック図
【図３】本発明の実施の形態１における無線通信端末１のフロー図
【図４】本発明の実施の形態１における無線通信端末１の信号レベル検出部１１ａの回路図
【図５】本発明の実施の形態２における無線通信端末１のフロー図
【図６】本発明の実施の形態２における無線通信端末１の信号レベル検出部１１ｂの回路図
【図７】本発明の実施の形態２における無線通信端末１の信号レベル検出部１１ｃの回路図
【図８】本発明の実施の形態３における無線通信端末１のフロー図
【図９】本発明の実施の形態３における無線通信端末１の信号レベル検出部１１ｄの回路図
【図１０】本発明の実施の形態４における無線通信端末１のフロー図
【図１１】本発明の実施の形態４における無線通信端末１の信号レベル検出部１１ｅの回路図
【図１２】本発明の実施の形態４における無線通信端末１の信号レベル検出部１１ｆの回路図
【図１３】本発明の実施の形態５における無線通信端末１のフロー図
【図１４】本発明の実施の形態５における無線通信端末１の信号レベル検出部１１ｇの回路図
【図１５】本発明の実施の形態６における無線通信端末１のフロー図
【図１６】本発明の実施の形態６における無線通信端末１ａのブロック図
【図１７】本発明の実施の形態７における無線通信端末１のフロー図
【図１８】本発明の実施の形態７における無線通信端末１の信号レベル検出部１１ｈの回路図
【符号の説明】
【０１１９】
１    無線通信端末
１１    無線通信端末１の信号レベル検出部
１２    無線通信端末１の電源部
１３    無線通信端末１のＳＷ部
１４    無線通信端末１のアンテナ部
２１    無線通信端末１の信号処理部
２２    無線通信端末１の制御部
１１１    無線通信端末１の第１の受信部
１１２    無線通信端末１の第１の送信部
１１３    無線通信端末１の第１の高周波部
１２１    無線通信端末１の第２の受信部
１２２    無線通信端末１の第２の送信部
１２３    無線通信端末１の第２の高周波部
２０１    無線通信端末１の第１の高周波部１１３のフィルタ
２０２    無線通信端末１の第１の高周波部１１３のＬＮＡ
２０３    無線通信端末１の第１の高周波部１１３のフィルタ
２０４    無線通信端末１の第１の高周波部１１３のミキサ
２０５    無線通信端末１の第１の高周波部１１３のフィルタ
２０６    無線通信端末１の第１の高周波部１１３のＤＥＭ
２１１    無線通信端末１の第１の高周波部１１３のフィルタ
２１２    無線通信端末１の第１の高周波部１１３のＰＡ
２１３    無線通信端末１の第１の高周波部１１３のＬＮＡ
２１４    無線通信端末１の第１の高周波部１１３のミキサ
２１５    無線通信端末１の第１の高周波部１１３のフィルタ
２１６    無線通信端末１の第１の高周波部１１３のＭＯＤ
２２１    無線通信端末１の第１の高周波部１１３の送受信切替ＳＷ
２２２    無線通信端末１の第１の高周波部１１３のシンセサイザ
３０１    無線通信端末１の信号レベル検出部１１のコンデンサ
３０２    無線通信端末１の信号レベル検出部１１のダイオード
３０３    無線通信端末１の信号レベル検出部１１のコイル
３０４    無線通信端末１の信号レベル検出部１１の抵抗
３０５    無線通信端末１の信号レベル検出部１１のコンデンサ
３０６    無線通信端末１の信号レベル検出部１１のコンパレータ
３０７    無線通信端末１の信号レベル検出部１１の基準電圧
３１１    無線通信端末１の信号レベル検出部１１のフィルタ
３１２    無線通信端末１の信号レベル検出部１１のＬＮＡ
３３１    無線通信端末１の信号レベル検出部１１の比較器
３３２    無線通信端末１の信号レベル検出部１１のパルス発生器
３４１    無線通信端末１の信号レベル検出部１１の方向性結合器
３５１    無線通信端末１の信号レベル検出部１１のＦ−Ｖコンバータ
３５２    無線通信端末１の信号レベル検出部１１のフィルタ
３５３    無線通信端末１の信号レベル検出部１１のコンパレータ
３５４    無線通信端末１の信号レベル検出部１１のインバータ
３５５    無線通信端末１の信号レベル検出部１１の基準電圧
４０１    無線通信端末１の信号レベル検出部１１の論理和
５０１    無線通信端末１のソフトウェア無線処理部
５０２    無線通信端末１のメモリ
５２１    無線通信端末１の受信部
５２２    無線通信端末１の送信部
５２３    無線通信端末１の高周波部
【図１】
2006005518.tif 000003
【図２】
2006005518.tif 000004
【図３】
2006005518.tif 000005
【図４】
2006005518.tif 000006
【図５】
2006005518.tif 000007
【図６】
2006005518.tif 000008
【図７】
2006005518.tif 000009
【図８】
2006005518.tif 000010
【図９】
2006005518.tif 000011
【図１０】
2006005518.tif 000012
【図１１】
2006005518.tif 000013
【図１２】
2006005518.tif 000014
【図１３】
2006005518.tif 000015
【図１４】
2006005518.tif 000016
【図１５】
2006005518.tif 000017
【図１６】
2006005518.tif 000018
【図１７】
2006005518.tif 000019
【図１８】
2006005518.tif 000020